(57)【要約】【課題】実行中及び待機中の他のジョブが存在し、かつ、ジャム等が発生しても、利用者は自己の正確なジョブ完了時刻を知る。【解決手段】現時点におけるジョブの進行状態を検出する検出手段と、その検出手段で検出されたジョブの進行状態に基づいて自己のジョブが予め算出された自己のジョブ完了時刻の所定範囲で終了するか否かを判定する判定手段と、その判定手段で自己のジョブが前記予め算出された自己のジョブ完了時刻の所定範囲内で終了しないと判定されたときに、その自己のジョブ完了時刻をその判定手段の結果に基いて再算出する再算出手段と、その再算出手段で算出された新たな自己のジョブ完了時刻を更新表示する表示制御手段とからなる。【選択図】図２
2009297955.tif 000002
【特許請求の範囲】
【請求項１】
実行中のジョブ時間、待機中のジョブ時間及び入力された自己のジョブ時間に基いてその入力された自己のジョブの完了時刻を算出し、その算出された自己のジョブ完了時刻を表示する画像形成装置であって、
現時点におけるジョブの進行状態を検出する検出手段と、
前記検出手段で検出されたジョブの進行状態に基づいて自己のジョブが前記算出された自己のジョブ完了時刻の所定範囲で終了するか否かを判定する判定手段と、
前記判定手段で自己のジョブが前記算出された自己のジョブ完了時刻の所定範囲内で終了しないと判定されたときに、その自己のジョブ完了時刻をその判定手段の結果に基いて再算出する再算出手段と、
前記再算出手段で算出された新たな自己のジョブ完了時刻を更新表示する表示制御手段と、
を具備することを特徴とする画像形成装置。
【請求項２】
前記入力された自己のジョブ時間は、自己のジョブ完了時刻を特定して予約入力されたものであることを特徴とする請求項１記載の画像形成装置。
【請求項３】
画像形成装置及びその画像形成装置にローカルエリアネットワークを介して接続されパーソナルコンピュータからなる画像形成システムであって、
実行中のジョブ時間、待機中のジョブ時間及び入力された自己のジョブ時間に基いてその入力された自己のジョブの完了時刻を算出し、その算出された自己のジョブ完了時刻を表示する表示手段と、
現時点におけるジョブの進行状態を検出する検出手段と、
前記検出手段で検出されたジョブの進行状態に基づいて自己のジョブが前記算出された自己のジョブ完了時刻の所定範囲で終了するか否かを判定する判定手段と、
前記判定手段で自己のジョブが前記算出された自己のジョブ完了時刻の所定範囲内で終了しないと判定されたときに、その自己のジョブ完了時刻をその判定手段の結果に基いて再算出する再算出手段と、
前記再算出手段で算出された新たな自己のジョブ完了時刻を更新表示する表示制御手段と、
を具備することを特徴とする画像形成システム。
【請求項４】
前記入力された自己のジョブ時間は、自己のジョブ完了時刻を特定して予約入力されたものであることを特徴とする請求項３記載の画像形成システム。
【発明の詳細な説明】
【技術分野】
【０００１】
本発明は、画像形成装置及び画像形成システムに関する。
【背景技術】
【０００２】
従来、コピー機、プリンタ及びＦＡＸ等の複数の機能を有する複合型の画像形成装置のジョブ、例えば印刷ジョブの完了時刻を予測できるようにしたものとしては、特許文献１が知られている。
この特許文献１では、画像形成装置に原稿の束を１枚ずつ給紙する自動原稿送り手段と、その自動原稿送り手段から送られてきた原稿を読み取る読み取り手段と、印刷紙の束を１枚ずつ給紙する自動印刷紙送り手段と、上記読み取り手段で読み取られた画像を印刷紙に印刷する手段と、装置状態を表示する表示手段と、印刷条件を指示する操作手段とが設けられていて、上記操作手段に指示された印刷条件により、その印刷ジョブの完了時間を予測し、その予測時間を上記表示手段に表示するように構成されている。したがって、ユーザは、印刷ジョブが完了するまで他の業務を行うことができ、効率的に仕事を行うことができる。
【特許文献１】特開２００５−１４２４７号公報
【発明の開示】
【発明が解決しようとする課題】
【０００３】
ところで、上記従来の画像形成装置は、印刷条件のみからジョブの完了時刻を予測しているので、自己のジョブを入力した際に実行中及び待機中の他のジョブが存在している場合には、正確な自己のジョブ完了時刻を予測することができなかった。特に、一台の複合型の画像形成装置にローカルエリアネットワーク（ＬＡＮ）を介して多数のパーソナルコンピュータを接続されている場合には、既に他のジョブが実行中又は待機していることは十分にあり、直ぐに自己のジョブが実行されるとは限らず、自己の正確なジョブの完了時刻を予測することができなかった。
【０００４】
本出願人は、このような問題を解決する発明として、特願２００８−０７９７０２において、既に他のジョブが実行中又は待機していても、自己の正確なジョブ完了時刻を予測して表示することのできる画像形成装置を提案している。この提案に係る画像形成装置では、画像形成装置の操作部が時間情報表示指示を受け付けると、実行／待機中のジョブの時間情報を算出し、この算出された実行／待機中のジョブの時間情報を加味して自己の画像形成ジョブの時間情報を算出し、この算出された自己の画像形成ジョブの時間情報を表示部に表示させるようにしている。したがって、この提案に係る画像形成装置では、実行中及び待機中の他のジョブが存在していても、利用者は自己の正確なジョブ完了時刻を知ることができるので、業務の一層の効率化を図ることができるという特長を有している。
【０００５】
上記先願に係る画像形成装置では、実行中及び待機中の他のジョブが存在していても、正確な自己のジョブ完了時刻を知ることができるので、業務の一層の効率化を図ることができるという特長を有している。しかし、画像形成装置のジョブ処理中にジャム等のトラブルが発生したり、あるいは、他のジョブのキャンセル等の待機ジョブ内容に変化が発生したような場合は、自己のジョブ完了時刻が到来してもジョブが終了していなかったり、あるいは、自己のジョブ完了時刻よりも早くジョブが終了する等のずれが生じるおそれがあった。
【０００６】
本発明は、上述した事情に鑑みたものであり、画像形成装置のジョブ処理中にジャム等のトラブルが発生しても、あるいは、待機中のジョブ内容に変化が生じた場合でも、自己のジョブ完了時刻を正確に知ることのできる画像形成装置及びその画像形成装置を用いた画像形成システムを提供することを目的とするものである。
【課題を解決するための手段】
【０００７】
上記目的を達成するために、本発明は、画像形成装置に係る第１の解決手段として、実行中のジョブ時間、待機中のジョブ時間及び入力された自己のジョブ時間に基いてその入力された自己のジョブの完了時刻を算出し、その算出された自己のジョブ完了時刻を表示する画像形成装置であって、現時点におけるジョブの進行状態を検出する検出手段と、検出手段で検出されたジョブの進行状態に基づいて自己のジョブが算出された自己のジョブ完了時刻の所定範囲で終了するか否かを判定する判定手段と、判定手段で自己のジョブが算出された自己のジョブ完了時刻の所定範囲内で終了しないと判定されたときに、その自己のジョブ完了時刻をその判定手段の結果に基いて再算出する再算出手段と、再算出手段で算出された新たな自己のジョブ完了時刻を更新表示する表示制御手段とを具備する、という手段を採用する。
【０００８】
また、画像形成装置に係る第２の解決手段として、上記第１の解決手段において、入力された自己のジョブ時間は、自己のジョブ完了時刻を特定して予約入力されたものである、という手段を採用する。
【０００９】
また、本発明では、画像形成システムに係る第１の解決手段として、画像形成装置及びその画像形成装置にローカルエリアネットワークを介して接続されパーソナルコンピュータからなる画像形成システムであって、実行中のジョブ時間、待機中のジョブ時間及び入力された自己のジョブ時間に基いてその入力された自己のジョブの完了時刻を算出し、その算出された自己のジョブ完了時刻を表示する表示手段と、現時点におけるジョブの進行状態を検出する検出手段と、検出手段で検出されたジョブの進行状態に基づいて自己のジョブが前記算出された自己のジョブ完了時刻の所定範囲で終了するか否かを判定する判定手段と、判定手段で自己のジョブが算出された自己のジョブ完了時刻の所定範囲内で終了しないと判定されたときに、その自己のジョブ完了時刻をその判定手段の結果に基いて再算出する再算出手段と、再算出手段で算出された新たな自己のジョブ完了時刻を更新表示する表示制御手段とを具備する、という手段を採用する。
【００１０】
画像形成システムに係る第２の解決手段として、入力された自己のジョブ時間は、自己のジョブ完了時刻を特定して予約入力されたものである、という手段を採用する。
【発明の効果】
【００１１】
本発明に係る画像形成装置によれば、実行中及び待機中の他のジョブが存在していても、利用者は自己の正確なジョブ完了時刻を知ることができるだけでなく、複合機のトラブルや他の利用者の予約キャンセルに応じても自己の修正された正確な新たなジョブ完了時刻を知ることができるから、なお一層の業務の効率化を図ることができる。
【００１２】
本発明に係る画像形成システムによれば、実行中及び待機中の他のジョブが存在していても、利用者は自己の正確なジョブ完了時刻を知ることができるだけでなく、複合機Ａのトラブルや他の利用者の予約キャンセルに応じても自己の修正された正確な新たなジョブ完了時刻を知ることができるから、なお一層の業務の効率化を図ることができる。
【発明を実施するための最良の形態】
【００１３】
以下、図面を参照して、本発明の一実施形態について説明する。
図１は、本実施形態に係る画像形成システムの構成を示すブロック図である。図中、符号Ａは、本実施形態に係る画像形成装置に相当するコピー機、プリンタ、スキャナ及びＦＡＸ等の複数の機能を有する複合機であり、Ｂは、パーソナルコンピュータであって、ローカルエリアネットワークＣを介して複合機Ａに接続されている。
なお、図示の例では、図面を簡略化するために、ローカルエリアネットワークＣには一台のパーソナルコンピュータＢしか接続されていないが、実際には多数のパーソナルコンピュータが接続されていて、一台の複合機Ａを多数の利用者でシェアして使用できるように工夫されている。
【００１４】
複合機Ａは、ＣＰＵ１、ＲＯＭ２、ＲＡＭ３、各種センサ群４、用紙搬送部５、画像読取部６、画像データ記憶部７、画像形成部８、通信Ｉ／Ｆ部９及び操作表示部１０を含んで構成されている。
【００１５】
ＣＰＵ１は、ＲＯＭ２に記憶されている制御プログラムや、各種センサ群４から入力される検出信号、画像データ記憶部７に記憶されている画像データ、通信Ｉ／Ｆ部９を介してパーソナルコンピュータＢから受信される各種信号、操作表示部１０から入力される操作指示に基づいて複合機Ａの全体動作を制御できるように構成されている。なお、このＣＰＵ１は、後述するパーソナルコンピュータＢのＣＰＵ１１と協働して本実施形態における各手段を実行できるように構成されている。
【００１６】
ＲＯＭ２は、ＣＰＵ１によって実行される制御プログラムやその他のデータを記憶する不揮発性メモリからなり、ＲＡＭ３は、ＣＰＵ１が制御プログラムを実行して各種動作を行う際に、データの一時保存先となるワーキングエリアとして用いられる揮発性メモリである。
【００１７】
各種センサ群４は、例えば用紙切れ検出センサや、用紙位置検出センサ、温度センサ等の画像形成動作に必要な各種センサからなり、それぞれのセンサで検出された各種の情報を検出信号としてＣＰＵ１に出力できるように構成されている。
【００１８】
用紙搬送部５は、図示しない用紙トレイに収納されている用紙を画像形成部８に搬送するための搬送ローラ及び搬送ローラ駆動用のモータや、画像形成処理後の用紙を図示しない排紙トレイに搬送するための搬送ローラ及び搬送ローラ駆動用のモータ等から構成されている。
【００１９】
画像読取部６は、自動原稿送り装置（ＡＤＦ）及びＣＣＤセンサ等を含んで構成されていて、ＡＤＦによって順次給紙される原稿の画像、すなわち原稿画像をＣＣＤセンサに読み取らせて原稿画像に基づく画像データを生成できるように構成されている。そして、この画像読取部６で生成された画像データは、ＣＰＵ１側に出力され、ＣＰＵ１は、その入力した画像データをフラッシュメモリ等のメモリからなる画像データ記憶部７に記憶させるように構成されている。さらに、この画像データ記憶部７に記憶された画像データは、ＣＰＵ１の要求に応じてＣＰＵ１側に出力できるように構成されている。
【００２０】
画像形成部８は、ＣＰＵ１の制御の下、画像データ記憶部７に記憶されている画像データに基づいて、用紙搬送部５から搬送される用紙にトナー像を転写させるとともに、その転写されたトナー像が定着処理されるように構成されている。通信Ｉ／Ｆ部９は、パーソナルコンピュータＢとの間で通信を行うためのインタフェースであり、ローカルエリアネットワークＣを介してパーソナルコンピュータＢと接続されている。
【００２１】
操作表示部１０は、タッチパネル１０ａから構成されていて、このタッチパネル１０ａには、スタートキー、ストップキー、電源キー、テンキー、クリアキー及びその他の各種操作キー等が表示できるように構成されているとともに、所定の内容を表示できるように構成されている。そして、このタッチパネル１０ａの所定位置を押下して入力された各種の操作信号は、ＣＰＵ１側に出力できるように構成されている。
【００２２】
パーソナルコンピュータＢは、ＣＰＵ１１、ＲＯＭ１２、ＲＡＭ１３、通信Ｉ／Ｆ部１４、表示部１５、操作部１６を含んで構成されている。  ＣＰＵ１１は、ＲＯＭ１２に記憶されている制御プログラムや、通信Ｉ／Ｆ部１４を介して複合機Ａから受信した信号、機器接続Ｉ／Ｆを介して入力される操作指示信号に基づいてパーソナルコンピュータＢを統括的に制御できるように構成されている。
【００２３】
ＲＯＭ１２は、ＣＰＵ１１によって実行される制御プログラムやその他のデータを記憶する不揮発性メモリからなり、このＲＯＭ１２には、上記制御プログラムとして複合機ドライバ１２ａ及びスプーラ１２ｂが記憶されている。複合機ドライバ１２ａは、複合機Ａとの間の情報の入出力を制御するデバイスドライバであり、また、スプーラ１２ｂは、複合機Ａが直ぐに実行することができない印刷ジョブをＲＡＭ１３に一時的に記憶させるプログラムである。ＲＡＭ1３は、ＣＰＵ１が制御プログラムを実行して各種動作を行う際に、データの一時保存先となるワーキングエリアとして用いられる揮発性メモリから構成されている。
【００２４】
通信Ｉ／Ｆ部１４は、複合機Ａとの間で通信を行うためのインタフェースであり、ローカルエリアネットワークＣを介して複合機Ａと接続されている。表示部１５は、ＣＲＴディスプレイ又は液晶ディスプレイからなる表示画面であり、ＣＰＵ１１の指示に基づいて各種の表示内容を表示できるように構成されている。操作部１６は、キーボード及びマウス等から構成されていて、キーボード等から入力された操作指示信号をＣＰＵ１１側に出力できるように構成されている。
【００２５】
上記構成からなる画像形成システムは、自己のジョブ完了時刻を複合機Ａの操作表示部１０（タッチパネル１０ａ）又はパーソナルコンピュータＢの表示部１５に、実行中又は待機のジョブ時間を加味して表示できるように構成されている。この基本的なジョブ完了時刻の表示制御動作については、上述した本出願人の先願に詳述されているのでここでは省略するが、この先願には、複合機Ａの複写制御動作、その複合機Ａの複写ジョブ予約制御動作、パーソナルコンピュータＢの印刷ジョブ制御動作、そのパーソナルコンピュータＢの印刷予約ジョブ制御動作及びそのパーソナルコンピュータＢの印刷ジョブ以外の画像形成制御動作が詳述されている。
【００２６】
以下、上記構成からなる画像形成システムの表示制御動作を実行中又は待機のジョブ時間を加味して表示できるように構成されていることを前提に図２のフローチャートを用いて説明する。
なお、説明の便宜上、図１に示されるパーソナルコンピュータＢは、特定の利用者に係るパーソナルコンピュータ、すなわち自己のパーソナルコンピュータとし、図示されていない他のパーソナルコンピュータは、他の利用者のパーソナルコンピュータとする。
【００２７】
図２のフローチャートでは省略されているが、今、複合機Ａは、他の利用者の所定のジョブ、例えば複写ジョブが実行中であり、さらに、この複合機Ａには、他の利用者の所定のジョブ、例えばパーソナルコンピュータからの印刷ジョブが予約されているとする。
【００２８】
この状態において、自己のパーソナルコンピュータＢから所定の印刷ジョブの信号が複合機Ａに入力されたとする。この信号入力により、複合機ＡのＣＰＵ１は、現在の時刻に、現在実行中の残りのジョブ時間、予約されている他の利用者のジョブ時間及び自己の入力された印刷ジョブに要するジョブ時間を加算し、自己のジョブ完了時刻を算出するとともに、その算出された自己のジョブ完了時刻情報を自己のパーソナルコンピュータＢに送出するように動作される。この自己のジョブ完了時刻情報を入力したパーソナルコンピュータＢの表示部１５には、図３の（ａ）に示されるように、自己のジョブ完了時刻（図示の例では、１５時３０分）が現在の時刻（図示の例では、１５時００分）とともに表示される。したがって、利用者は、その自己のジョブ完了時刻の到来まで他の業務を行うことができる。
【００２９】
なお、上述の自己のパーソナルコンピュータＢからの印刷ジョブの複合機Ａへの入力は、待機中のジョブ終了後に自己のジョブが開始されるようにしたが、この入力の際、自己のジョブ完了時刻を特定して予約入力するようにしてもよい。このジョブ予約入力の場合は、待機中のジョブ終了時刻と入力された自己のジョブ完了時刻間の時間内に自己のジョブ時間が確保できればそのジョブ予約は成立し、その入力された自己のジョブ完了時刻がパーソナルコンピュータＢの表示部１５に表示される。もちろん、自己のジョブ時間が待機中のジョブ終了時刻と入力された自己のジョブ完了時刻間の時間内に確保できなければその旨が利用者に報知されるので、再度、新たな自己のジョブ完了時刻が入力される。
【００３０】
また、上記表示部１５に表示された現在の時刻及び自己のジョブ完了時刻の情報は、常時、表示させておくことも可能であり、また消去することも可能である。さらに、この自己のジョブ完了時刻は、複合機Ａの操作表示部１０に必要に応じて表示させることもできる。この複合機Ａにおける表示は、タッチパネル１０ａを介して複合機Ａを所定の待機ジョブ表示モードに設定して行われる。
【００３１】
さて、所定の時刻、例えば１５時１０分のとき、利用者によってパーソナルコンピュータＢの操作部１６を介して自己のジョブ完了時刻を確認するためにボタンが押下されると（Ｓ１００）、このボタンの押下信号は、複合機ＡのＣＰＵ１に送出される。そして、その押下信号を受信したＣＰＵ１では、複合機Ａにおける現時点のジョブの進行状態に対応したジョブ時刻が取得され（Ｓ１０２）、その取得されたジョブ時刻におけるジョブの進捗状態がチェックされる（Ｓ１０４）。
【００３２】
次いで、上記チェック時における残りのジョブの実行ジョブ時間に基いて、自己のジョブの完了時刻が、予め算出されている自己のジョブ完了時刻の所定範囲内、例えば自己のジョブ完了時刻の±３０秒未満であるか否かが判定され、この範囲内と判定されれば（Ｓ１０６、Ｓ１０８）、表示部１５には、自己のジョブ完了時刻はそのままで（図示の例では、１５時３０分）、現在の時刻のみが更新（１５時１０分）されて表示される（Ｓ１１２）。
【００３３】
これに対して、複合機Ａのジョブの実行中、例えばジャムや用紙切れで所定時間、例えば５分間のジョブ停止時間が発生していたとする。この場合は、上述の範囲外、すなわち自己のジョブ完了時刻は当初の予測どおりには終了しないでと判定される（Ｓ１０８）。この場合は、当初の自己のジョブ完了時刻に判定結果である５分間の遅延時間が加算されて新たなジョブ完了時刻（１５時３５分）が算出されるとともに、その算出され新たなジョブ完了時刻は、更新された現在の時刻（１５時１０分）とともに表示部１５に表示される（Ｓ１１０、Ｓ１１２）。図３の（ｂ）には、そのときの表示部１５の表示例が示されている。
【００３４】
上述の例では、新たな自己のジョブ完了時刻は、複合機Ａのトラブルに基いて修正されたが、他の利用者の印刷ジョブの予約がキャンセルされた場合も修正され。この場合は、そのキャンセルされたジョブ時間分だけ自己のジョブ完了時刻が早められる。なお、自己のジョブ完了時刻を特定して入力するジョブ予約の場合は変更されることはない。
【００３５】
また、上述の例では、パーソナルコンピュータＢの操作部１６を介して自己のジョブ完了時刻確認のときに、修正された新たなジョブ完了時刻が表示されるようにしたが、複合機Ａにおいて所定時間毎にジョブ停止時間やキャンセルされたジョブ時間を加味して各ジョブ毎の新たなジョブ完了時刻を算出しておき、要求に応じて表示させてもよい、また、常時、自己のジョブ完了時刻を表示させている場合は、その表示されているジョブ完了時刻を修正された新たなジョブ完了時刻に変更して表示させるようにしてもよい。
【００３６】
上記構成からなる画像形成システムは、実行中及び待機中の他のジョブが存在していても、利用者は自己の正確なジョブ完了時刻を知ることができるだけでなく、複合機Ａのトラブルや他の利用者の予約キャンセルに応じても自己のジョブ完了時刻が修正されるので、より正確なジョブ完了時刻を知ることがで、一層の業務の効率化を図ることができる。
【００３７】
以上、本発明の一実施形態について説明したが、本発明は上記実施形態に限定されることなく、例えば  複合機Ａにおいて行われるジョブは、印刷ジョブ以外にＦＡＸ送信ジョブやメール送信ジョブ等であってもよいことはもちろんである。
【図面の簡単な説明】
【００３８】
【図１】本発明の一実施形態に係る画像形成システムの構成を示すブロックシス図である。
【図２】本発明の一実施形態に係る画像形成システムの表示制御処理動作を示すフローチャートである。
【図３】本発明の一実施形態に係る画像形成システムの表示部の表示例である。
【符号の説明】
【００３９】
Ａ…複合機、Ｂ…パーソナルコンピュータ、Ｃ…ローカルエリアネットワーク、１,１１…ＣＰＵ、２，１２…ＲＯＭ、３，１３…ＲＡＭ、４…各種センサ群、５…用紙搬送部、６…画像読取部、７…画像データ記憶部、８…画像形成部、９，１４…通信Ｉ／Ｆ部、１０…操作表示部、１０ａ…タッチパネル、１２ａ…複合機ドライバ、１２ｂ…スプーラ、１５…表示部、１６…操作部、１７…スプーラ
【図１】
2009297955.tif 000003
【図２】
2009297955.tif 000004
【図３】
2009297955.tif 000005